(57)【要約】【課題】コスト的に有利に接合することができ、しかも、力学的に無駄のない、木造における梁と柱脚部との接合構造を提供する。【解決手段】梁１に上下方向に貫通する孔７が明けられ、該孔７に、孔径よりも小さい外周サイズの全ネジ棒８が通され、該全ネジ棒８の上下の端部にそれぞれ雌ネジ部材９，９が螺合緊結されることで柱脚部２が梁１上に接合されている。両雌ネジ部材９，９は、梁１の前記孔７の開口部から内方に突出する部分９ｃ，９ｃを備え、該突出部分９ｃ，９ｃが孔７にしっくりと嵌合され、全ネジ棒８が上下の雌ネジ部材９，９の突出部分９ｃ，９ｃ間で孔７内に露出している。【選択図】      図１
2008014010.tif 000002
【特許請求の範囲】
【請求項１】
梁に上下方向に貫通する孔が明けられ、該孔に、孔径よりも小さい外周サイズの全ネジ棒が通され、該全ネジ棒の上下の端部にそれぞれ雌ネジ部材が螺合緊結されることで柱脚部が梁上に接合されており、両雌ネジ部材は、梁の前記孔の開口部から内方に突出する部分を備え、該突出部分が孔にしっくりと嵌合され、全ネジ棒が上下の雌ネジ部材の突出部分間で孔内に露出していることを特徴とする、木造における梁と柱脚部との接合構造。
【請求項２】
前記上下の雌ネジ部材のうちのいずれか一方又は両方が、孔内への突出部分を構成する内周全ネジパイプと、該パイプの一端側に螺合されるボルトとからなり、該パイプの他端側が全ネジ棒と螺合されている請求項１に記載の、木造における梁と柱脚部との接合構造。
【発明の詳細な説明】
【技術分野】
【０００１】
本発明は、木造における梁と柱脚部との接合構造に関する。
【背景技術】
【０００２】
木造における梁と柱脚部との接合構造として、図６及び図７に示すように、木梁５１に上下方向に貫通する孔５２，５２が明けられ、各孔５２に、両端ネジ切りの高ナット５３がしっくりと挿入され、該高ナット５３の上下の端部にボルト５４，５４が螺合緊結されることで、柱脚部５５が金物５６を介して梁５１上に接合されるようになされたものが、ホゾパイプ形式の接合構造よりも高強度の耐力を発揮しうるものとしてある。
【特許文献１】特開平９−１００５７６号公報
【発明の開示】
【発明が解決しようとする課題】
【０００３】
しかしながら、上記のような接合構造では、図７（イ）（ロ）に示すように、梁５１の背が異なると、高ナット５３も高さ寸法の異なるものを使用しなければならず、高ナット５３が、両端のみネジ切りのものである場合は特に、コストが高くついてしまうという問題がある。
【０００４】
また、柱梁接合部に水平せん断力が作用すると、図７（ハ）に示すような応力分布になり、高ナット５３の高さ方向中間部は、曲げの負担が少ないにもかかわらず、端部側と変わらない肉量を備えることになって、無駄が大きいという問題もある。
【０００５】
本発明は、上記のような問題点に鑑み、コスト的に有利に接合することができ、しかも、力学的に無駄のない、木造における梁と柱脚部との接合構造を提供することを課題とする。
【課題を解決するための手段】
【０００６】
上記の課題は、梁に上下方向に貫通する孔が明けられ、該孔に、孔径よりも小さい外周サイズの全ネジ棒が通され、該全ネジ棒の上下の端部にそれぞれ雌ネジ部材が螺合緊結されることで柱脚部が梁上に接合されており、両雌ネジ部材は、梁の前記孔の開口部から内方に突出する部分を備え、該突出部分が孔にしっくりと嵌合され、全ネジ棒が上下の雌ネジ部材の突出部分間で孔内に露出していることを特徴とする、木造における梁と柱脚部との接合構造によって解決される。
【０００７】
この構造では、梁の孔内には全ネジ棒を通すことにしているので、それ自体でコスト的に有利であり、しかも、全ネジ棒であるので、梁背が異なる場合であっても、全ネジ棒を切断するだけの処理で済み、梁と柱脚部をコスト的に有利に接合することができる。
【０００８】
しかも、上下の雌ネジ部材は、梁の孔の開口部から内方に突出する部分を備え、該突出部分が孔にしっくりと嵌合されているので、柱梁接合部に水平せん断力が作用した場合でも上下の雌ネジ部材の突出部分がそれをしっかりと支え、全ネジ棒が上下の雌ネジ部材の突出部分間で孔内に露出しているので、力学的に無駄もなく、上下の雌ネジ部材の突出部分の長さ寸法を抑えてコスト的な有利性を発揮することができる。
【０００９】
上記の接合構造において、上下の雌ネジ部材のうちのいずれか一方又は両方が、孔内への突出部分を構成する内周全ネジパイプと、該パイプの一端側に螺合されるボルトとからなり、該パイプの他端側が全ネジ棒と螺合されているのもよい。
【００１０】
この場合は、突出部分を備えた雌ネジ部材が、内周全ネジパイプと、該パイプの一端側に螺合されるボルトとで構成されていることにより、突出部分を備えた一体物の雌ネジ部材を用いる場合に比べて、部品コストを低く抑えることができ、突出部分が内周全ネジパイプであることにより、水平せん断力負担に必要な長さ寸法の突出部分をコスト的に有利に用意することができる。
【発明の効果】
【００１１】
本発明は、以上のとおりのものであるから、梁と柱脚部とをコスト的に有利に接合することができ、しかも、力学的に無駄もない。
【発明を実施するための最良の形態】
【００１２】
次に、本発明の実施最良形態を図面に基づいて説明する。
【００１３】
図１及び図３に示す第１実施形態の接合構造において、１は木製梁、２は木製柱脚部、３は接合金物である。
【００１４】
接合金物３は、梁１に接合されるボックス形ベース部４と、該ベース部４の上面中央部に立設された十字状差込み部５とを備え、柱脚部２は、その下端部に設けられた十字状のスリット２ａに接合金物３の十字状差込み部５が差し込まれ、図３（イ）に示すように、側方よりドリフトピン６が打ち込まれることで接合金物３に連結されている。
【００１５】
また、梁１上への接合金物３の取付けのため、梁１には、上下方向に貫通する孔７，７が明けられ、該孔７に、孔径よりも小さい外周サイズの全ネジ棒８が通され、該全ネジ棒８の下端部に雌ネジ部材９が螺合され、全ネジ棒８の上端部は接合金物３のベース部４の下板に通され、該上端部に雌ネジ部材９が螺合緊結されることにより柱脚部２が接合金物３を介して梁１上に接合されている。１０は座板である。
【００１６】
そして、上下の雌ネジ部材９，９はそれぞれ、頂面に六角穴９ａを備えた頭部９ｂと、梁１の孔７の開口部から内方に突出する部分９ｃとを一体に備えたものからなっていて、突出部分９ｃに全ネジ棒８に螺合されるネジ孔が備えられ、該突出部分９ｃが孔７にしっくりと嵌合され、全ネジ棒８が上下の雌ネジ部材９，９の突出部分９ｃ，９ｃ間で孔７内に露出するようになされている。
【００１７】
施工は、図２（イ）（ロ）に示すように、接合金物３を梁１上に取り付け、しかる後、図３（イ）に示すように、接合金物３に柱脚部２を連結するようにすればよい。
【００１８】
上記の接合構造では、梁１の孔７，７内には全ネジ棒８，８を通すことにしているので、それ自体でコスト的に有利であり、しかも、全ネジ棒であるので、梁１の背が異なる場合であっても、全ネジ棒を必要長さに切断するだけの処理で済ませることができ、梁１と柱脚部２をコスト的に有利に接合することができる。
【００１９】
しかも、上下の雌ネジ部材９，９は、図３（ロ）に示すように、梁１の孔７の開口部から内方に突出する部分９ｃ，９ｃを備え、該突出部分９ｃ，９ｃが孔７にしっくりと嵌合されているので、柱梁接合部に水平せん断力が作用した場合でも上下の雌ネジ部材９，９の突出部分９ｃ，９ｃがそれをしっかりと支えることができる。そして、全ネジ棒８が上下の雌ネジ部材９，９の突出部分９ｃ，９ｃ間で孔７内に露出しているので、力学的に無駄もなく、上下の雌ネジ部材９，９の突出部分９ｃ，９ｃの長さ寸法を抑えてコスト的な有利性を発揮することができる。
【００２０】
図４及び図５に示す第２実施形態の接合構造は、上下の雌ネジ部材９，９が、孔７内への突出部分９ｃを構成する内周全ネジパイプ１１と、該パイプ１１の一端側に螺合されるボルト１２とからなり、該パイプ１１の他端側が全ネジ棒８に螺合されている。その他は第１実施形態と同様である。
【００２１】
この接合構造では、突出部分９ｃを備えた雌ネジ部材９が、内周全ネジパイプ１１と、該パイプ１１の一端側に螺合されるボルト１２とで構成されているので、突出部分を備えた一体物の雌ネジ部材を用いる場合に比べて、部品コストを低く抑えることができ、突出部分９ｃが内周全ネジパイプ１１であることにより、水平せん断力負担に必要な長さ寸法の突出部分をコスト的に有利に用意することができる。なお、内周全ネジパイプ１１とボルト１２で構成される雌ネジ部材９は、上下いずれか一方の雌ネジ部材にのみ用いられた構造であってもよい。
【００２２】
以上に、本発明の実施形態を示したが、本発明はこれに限られるものではなく、発明思想を逸脱しない範囲で各種の変更が可能である。例えば、上記の実施形態では、梁１と柱脚部２を接合するために特定構造の接合金物３を用いた場合を示したが、接合金物の形態に制限はないし、特別な接合金物を用いない接合構造に用いることも可能である。
【図面の簡単な説明】
【００２３】
【図１】第１実施形態の接合構造を示す分解斜視図である。
【図２】図（イ）は接合金物と梁とを分離状態にして示す断面正面図、及び図（ロ）は接合金物と梁との接合状態を示す断面正面図である。
【図３】図（イ）は同接合構造を示す断面正面図、図（ロ）は要部拡大断面正面図である。
【図４】第２実施形態の接合構造を示すもので、図（イ）は接合金物と梁とを分離状態にして示す断面正面図、及び図（ロ）は接合金物と梁との接合状態を示す断面正面図である。
【図５】図（イ）は同接合構造を示す断面正面図、図（ロ）は要部拡大断面正面図である。
【図６】関連技術に係る接合構造を示す分解断面正面である。
【図７】図（イ）及び図（ロ）は梁背が異なる場合の同接合構造を示す断面正面図、図（ハ）は水平せん断力が作用する場合の応力部分を示すグラフ図である。
【符号の説明】
【００２４】
１…梁
２…柱脚部
７…貫通孔
８…全ネジ棒
９…雌ネジ部材
９ｃ…突出部分
１１…内周全ネジパイプ
１２…ボルト
【図１】
2008014010.tif 000003
【図２】
2008014010.tif 000004
【図３】
2008014010.tif 000005
【図４】
2008014010.tif 000006
【図５】
2008014010.tif 000007
【図６】
2008014010.tif 000008
【図７】
2008014010.tif 000009